(57)【要約】【課題】スピーカエンクロージャーが小型であっても低域を増大させて出力する。【解決手段】スピーカ１０が駆動されると、スピーカ１０のコーン紙の振動がスピーカエンクロージャー５０内の空気に伝搬され、この空気の振動によって振動板５１の振動部位５１ａが振動する。このとき、エッジ７０で気密性を保持された状態で振動する振動板５１は、振動したときにスピーカエンクロージャー５０内の空気容積を圧縮または伸張させる。したがって、振動板５１の弾性に加えてスピーカエンクロージャー５０の空気バネも加わったコンプライアンスと振動板５１の等価質量との間で新たな共振周波数を持つようになる。この結果、振動板５１の共振周波数を中心に再生される音が生じる。【選択図】図２
2007104526.tif 000002
【特許請求の範囲】
【請求項１】
複数の面で囲まれその内部が密閉されるスピーカエンクロージャーと、
前記スピーカエンクロージャーの一面において、線で囲まれる仮想平面図形の輪郭の一部を接続部とし、前記接続部を残すようにして前記輪郭に沿って切り欠いた切欠部と、
前記切欠部を覆って前記スピーカエンクロージャーの内部空間を密閉する密閉部材と、
前記スピーカエンクロージャーの任意の面に設けられたスピーカと
を具備し、
前記切欠部によって囲まれた部分は前記接続部付近を支点にして弾性により振動可能な振動板となっており、前記一面の前記振動板を囲む部分を周囲部とした場合に、前記気密部材は前記振動板の振動を可能にした状態で前記振動板から前記周囲部にわたって取り付けられ、前記内部空間を密閉することを特徴とするスピーカシステム。
【請求項２】
前記密閉部材は、前記輪郭方向に沿って設けられるシート状の部材で構成され、前記切欠部の前記輪郭方向に直交する断面においては、前記部材の断面形状が線状であるとともに、その線に沿った道のりが前記切欠部の断面の幅より長いことを特徴とする請求項１記載のスピーカシステム。
【請求項３】
前記密閉部材は、前記一面の表面側または内部空間側において、前記振動板から前記周囲部にわたって取り付けられることを特徴とする請求項１または２記載のスピーカシステム。
【請求項４】
前記密閉部材は、前記切欠部を前記一面の表面側から内部空間側に横切るようにして前記振動板から前記周囲部にわたって取り付けられることを特徴とする請求項１または２記載のスピーカシステム。
【請求項５】
前記密閉部材は、その断面形状が線状であるとともに、その線の道のりが前記接続部からの距離に応じて変化することを特徴とする請求項２から４いずれかに記載のスピーカシステム。
【請求項６】
前記密閉部材は、その断面形状に湾曲部を有し、前記湾曲部の厚みが他の部分より薄いことを特徴とする請求項１から５いずれかに記載のスピーカシステム。
【請求項７】
前記密閉部材は少なくとも前記一面とともに一体成型されていることを特徴とする請求項１から６いずれかに記載のスピーカシステム。
【請求項８】
前記密閉部材の断面方向の両端部は前記振動板および前記周囲部に固定され、前記振動板に固定される側の端部は、振動板の縁に近接していることを特徴とする請求項１から７いずれかに記載のスピーカシステム。
【発明の詳細な説明】
【技術分野】
【０００１】
本発明は、スピーカシステムの技術に関する。
【背景技術】
【０００２】
スピーカシステムには、種々のタイプのものが開発されており、例えば、バスレフやドローンコーンを用いたものがその代表である。
バスレフは、ヘルムホルツ共鳴を利用して低音を増強するものであり、ドローンコーンは駆動回路のないスピーカユニットを取り付け、エンクロージャーの容積内の空気との共振を利用して低音を増強するものである。
【０００３】
バスレフにおいては、エンクロージャーの容積が小さい場合、共振周波数を低くするには、共鳴管を小型で細長くしなければならず、空気抵抗が大きくなって低音増強機能が著しく低下し、また、共鳴管を通過する空気の速度が非常に速くなるために笛のような風切り音が発生するという問題がある。
【０００４】
また、ドローンコーンの場合は、共振周波数を低くするには、その質量を大きくしなければならない。そして、共振周波数を下げるためには、振動板を支持するエッジのコンプライアンスが大きくなければならないが、質量の大きな振動板を支持するためにはエッジのバネ性や強度は大きくなければならず、コンプライアンスと相反することになる。また、重い振動板が完全に平行に振動することは難しく、ローリングやロッキングと呼ばれる異常振動を伴い易い。この異常振動は、歪みを増加させ無駄なエネルギーを消費して、効率を低下させる。
【０００５】
上述したドローンコーンの欠点を補うために、例えば、特許文献１などが提案されている。この方式によれば、ローリングやロッキングは防止することができるが、振動板（フラップ）の重量をその周囲に設けられたエッジで支える構造であるため、エッジに強度が必要になり、その制動効果により振動のＱが小さくなるという問題がある。
【特許文献１】特表２００２−５３１０３６号公報
【発明の開示】
【発明が解決しようとする課題】
【０００６】
上記課題を解決するため、本発明は、小型であっても充分な低音成分を出力することができ、ローリングやロッキングを防止するとともに振動板の振動のＱも大きくすることができるスピーカシステムおよびスピーカエンクロージャーを提供することを目的とする。
【課題を解決するための手段】
【０００７】
本願発明によるスピーカシステムは、複数の面で囲まれその内部が密閉されるスピーカエンクロージャーと、前記スピーカエンクロージャーの一面において、線で囲まれる仮想平面図形の輪郭の一部を接続部とし、前記接続部を残すようにして前記輪郭に沿って切り欠いた切欠部と、前記切欠部を覆って前記スピーカエンクロージャーの内部空間を密閉する密閉部材と、前記スピーカエンクロージャーの任意の面に設けられたスピーカとを具備し、前記切欠部によって囲まれた部分は前記接続部付近を支点にして弾性により振動可能な振動板となっており、前記一面の前記振動板を囲む部分を周囲部とした場合に、前記気密部材は前記振動板の振動を可能にした状態で前記振動板から前記周囲部にわたって取り付けられ、前記内部空間を密閉することを特徴とする。
【０００８】
本発明の好ましい態様においては、前記密閉部材は、前記輪郭方向に沿って設けられるシート状の部材で構成され、前記切欠部の前記輪郭方向に直交する断面においては、前記部材の断面形状が線状であるとともに、その線に沿った道のりが前記切欠部の断面の幅より長いことを特徴とする。
本発明の更に好ましい態様においては、前記密閉部材は、前記一面の表面側または内部空間側において、前記振動板から前記周囲部にわたって取り付けられることを特徴とする。
また、別の好ましい態様においては、前記密閉部材は、前記切欠部を前記一面の表面側から内部空間側に横切るようにして前記振動板から前記周囲部にわたって取り付けられることを特徴とする。
【０００９】
また、本発明の更に好ましい態様においては、前記密閉部材は、その断面形状が線状であるとともに、その線の道のりが前記接続部からの距離に応じて変化することを特徴とする。
更に好ましい態様においては、前記密閉部材は、その断面形状に湾曲部を有し、前記湾曲部の厚みが他の部分より薄いことを特徴とする。
また、更に好ましい態様においては、前記密閉部材は少なくとも前記一面とともに一体成型されていることを特徴とする。
また、更に好ましい態様においては、前記密閉部材の断面方向の両端部は前記振動板および前記周囲部に固定され、前記振動板に固定される側の端部は、振動板の縁に近接していることを特徴とする。
【発明を実施するための最良の形態】
【００１０】
以下、図面を参照し、この発明の実施の形態を説明する。
図１は、この発明の実施形態であるスピーカシステムの外観を示す斜視図である。図１において、１０は、ボイスコイル、マグネット等を備えたスピーカであり、スピーカエンクロージャー５０の前面に取り付けられている。スピーカエンクロージャー５０は、直方体状の密閉型のエンクロージャーであり、６面とも板状の部材（例えば、木材、合成樹脂、金属もしくはそれらを張り合わせた合成材等）により形成されている。
【００１１】
図１に示すように、スピーカエンクロージャー５０の前面のバッフル板５０ａを貫通してスピーカ取付穴が設けられ、このスピーカ取付穴に前述したスピーカ１０が挿入されている。この場合、スピーカ１０の前面のフレームがネジによりバッフル板５０ａに固定されている。
【００１２】
バッフル板５０ａの中央部から下部にかけてＵ字状に細長く切り欠かれた切欠部６０が設けられている。Ｕ字形状の切欠部６０は、本発明においては次の概念に入るものである。すなわち、スピーカエンクロージャーの一面において、線で囲まれる仮想平面図形の輪郭の一部を接続部とし、前記接続部を残すようにして前記輪郭に沿って切り欠いた切欠部である。この概念をＵ字形状に当てはめてみると、一部がＵ字形状となっている仮想平面図形を想定し、Ｕ字形状以外の部分（図１ではＵ字形状の上部）を接続部とし、この接続部を残すようにして、その仮想平面図形の輪郭に沿って切り欠いてゆくとＵ字形状の切欠部６０ができる。本実施形態においてはＵ字形状の上部が図に破線で示すように接続部５１ｃとなっている。
【００１３】
切欠部６０によって囲まれた部分は接続部５１ｃ付近を支点にして弾性により振動可能な振動板５１となる。すなわち、振動板５１の上部の接続部５１ｃはバッフル板５０ａと一体であり、それ以外の部分はＵ字形状の切欠部６０によってバッフル板５０ａから切り離されているから、振動板５１はその上端が固定された状態で自由に振動可能である。なお、以下においては、振動板５１の下部を振動部位５１ａという。また、振動板５１は図２（ａ）に示すように、その厚みがバッフル板５０ａの他の部分に較べて薄く形成されている。
【００１４】
振動板５１（すなわちバッフル板５０ａ）は、音響的に十分な強度と弾性とを併せ持つ部材で形成されている。ここで、「音響的に十分な強度」とは、空気を通さず、空気よりも十分大きな密度をもち、振動したときに音波を発生する強度と弾性を持つことを意味する。また、振動板５１は、それ自体で音波をある程度遮断できる性質を有する。
また、「弾性」の度合いは、この振動板５１が水平になるように置いたときに自重を支えてほぼ水平に保つことができる程度である。このような特性を満足させるために、振動板５１（すなわちバッフル板５０ａ）は、例えば薄い木の板、薄い合成樹脂、金属の板もしくはそれらを張り合わせた合成材等からなる。
【００１５】
図２の（ａ）および（ｂ）は、各々同実施形態の側断面図および横断面図である。これらの図に示すように、切欠部６０は断面がアーチ状のエッジ７０によって、スピーカエンクロージャー５０の内側から覆われ、これによりスピーカエンクロージャー５０の気密性が保持されている。図３はバッフル板５０ａの背面を示す図であり、エッジ７０は、図示のように、Ｕ字状の切欠部６０をその形状に沿って覆っている。
【００１６】
振動板５１は、その一辺がバッフル板５０ａと連通して固定端となっているから、振動板５１はそれ自体が支持機能を有している。そのため、エッジ７０は振動板５１の重量を支える必要がなく、気密性を保つ機能のみを持てばよい。したがって、柔らかい材料を使うことができ、振動板５１の振動を抑制しない動き易い状況を作ることができる。本実施形態においては、エッジ７０は薄いシート状の部材で、切欠部６０の断面方向においては、エッジ７０の形状は線状であり、その線の道のりが切欠部６０の断面の幅よりも大きくなっている。これにより、エッジ７０は振動板５１の振動があってもその振動幅を吸収してスピーカエンクロージャーの密閉を維持することができる。
【００１７】
エッジ７０の断面形状はアーチ状であるが、その径は、振動板５１の下端部５１ｂにおける振幅Ａ１に対応した径となっている。図２の（ｃ）に振動板５１の振動動作を説明するための図を示すが、この図に示すように振動板５１は、接続部５１ｃより距離が離れるほど、振動による振幅が増大する。すなわち、図２の（ｃ）に示すように、振動板５１の下端部５１ｂの振幅Ａ１と接続部５１ｃ付近の振幅Ａ２とを比較すると、  Ａ１＞Ａ２  となる。
本実施形態におけるエッジ７０は、振動部位５１ａの最大振幅（下端部５１ｂの振幅Ａ１）に対応した径を有しているので、振動板５１のどの位置においても振動を妨げることはない。
【００１８】
また、エッジ７０は、図２の（ｂ）に示すように、その貼り付け部７０ａが振動板５１の外縁付近に位置するように取り付けられている。この構成について、図２０に示す例と比較しつつ以下に説明する。図２０は、振動板５１の振動を妨げないようにするために、切欠部６０の中央に対して対称となるようにエッジ７０を取り付けた場合を示す図である。図２０においては、スピーカエンクロージャー８０の内部で発生した空気圧の変化は、振動板５１の端部であってエッジ７０に覆われた部分（図２０中のａ，ｂに示す部分）には直接伝わらない。
【００１９】
これに対し、本実施形態においては、図２の（ｂ）に示すように、スピーカエンクロージャー５０の内圧の変化がエッジ７０によって妨げられることなく振動板５１全体に直接伝わるので、振動板５１におけるスピーカエンクロージャー５０の内圧の変動を受ける面積を広くすることができる。すなわち、振動板５１の有効振動面積を大きくすることができる。
【００２０】
上述した構成において、スピーカ１０が駆動されると、スピーカ１０のコーン紙の振動がスピーカエンクロージャー５０内の空気に伝搬され、この空気の振動によって振動板５１の振動部位５１ａが振動する。このとき、エッジ７０で気密性を保持された状態で振動する振動板５１は、振動したときにスピーカエンクロージャー５０内の空気容積を圧縮または伸張させる。したがって、振動板５１の弾性に加えてスピーカエンクロージャー５０の空気バネも加わったコンプライアンス（機械的可とう性）と振動板５１の等価質量との間で新たな共振周波数を持つようになる。この結果、振動板５１の共振周波数を中心に再生される音が生じる。
【００２１】
ここで空気バネと振動板５１の弾性（バネ性）は、等価的に２つのバネが並列に接続されているように機能するが、空気バネの方が振動板５１のバネよりもコンプライアンスが小さいので、スピーカシステムとしての振動板５１の共振周波数はほぼ空気のコンプライアンスと振動板５１の等価質量で決まる。
【００２２】
以上のようにして決定される共振周波数は、容易に低音領域の所望値にすることができる。例えば、スピーカ１０に有効直径８ｃｍ、最低共振周波数７０ｚ、Ｑ＝０．３５のスピーカを用い、スピーカエンクロージャー５０の内容量を３．５リッターとした場合に、振動板５１の質量を１３５グラムとすると振動板の共振周波数を５０Ｈｚとすることができる。
【００２３】
ここで、図４（ａ）は上述した具体例の場合のスピーカ１０の周波数特性であり、図４（ｂ）は振動板５１の周波数特性である。この図で明らかなように、本実施形態において上述の数値を設定した場合は、５０Ｈｚ付近が強調された低音を強く出力することができる。このように、本実施形態においては、振動板５１の曲げ振動を利用することによって、ドローンコーンのようなパッシブラジエターとしての作用が得られる。
【００２４】
また、振動部位５１ａは、「うちわ」のように全体がしなりながら振動する１次振動モードで低音再生を行う。なぜなら、振動板５１には２次や３次またはそれ以上の振動モードも存在しているが、空気で振動板５１全体が駆動されるため１次振動モードが最も強く発生し、それ以外の振動モードの発生レベルは小さくなるからである。また、高次モードをさらに抑えたい場合は、振動板５１の材質や厚さまたは複数の材料の張り合わせなどで調整が可能である。
【００２５】
なお、本実施形態においては、振動板５１は、自重を十分支えられる程度の弾性を持っているので、振動板５１を水平に置いてもそれ自身で水平を保持できる。また、振動板５１自身の弾性が自由共振のコンプライアンスになるが、弾性を持った振動板５１の内部損失は同じ弾性を持たせたエッジ７０の内部損失より遥かに小さいため振動時の損失は十分小さい。
【００２６】
また、本実施形態におけるエッジ７０は、従来のドローンコーン等に用いられるエッジに較べ柔らかな材質とすることができ、また、機械的な強度も必要ない。従来のドローンコーン等のパッシブラジエターにおいては、剛体の振動板をエッジで支えるという構造が必要であるため、エッジは振動板の支持と気密性の確保という２つの機能を持っていた。しかし、本実施形態においては、振動板５１の支持機能を振動板５１自体に持たせているので、エッジ７０に支持機能は必要でない。そのため、エッジ７０は、スピーカエンクロージャー５０内の気密性を保持できれば足りるから、従来にない柔らかな材料を用いることができ、振動板５１の振動を阻害しない状況を作ることができ、振動のＱを大きくすることができる。
また、振動板５１の共振周波数は、振動板５１の質量を大きくすることで下げることができる。すなわち、振動板５１の大きさや材質などによっても調整が可能であり、振動板５１に何らかの部材を貼り付けることによっても容易に調整が可能である。
【００２７】
ここで、等価回路を用いて本件発明と従来技術との差異について説明する。図５はスピーカの電気等価回路である。ボイスコイルインピーダンスを介してＣｍｅｓ、Ｒｅｓ、Ｌｃｅｓで構成される低域共振回路（共振周波数＝Ｆ０）が電圧駆動される構成を持っている。
ここで、
Ｒｅ＝ボイスコイル直流抵抗
Ｌｅ，Ｌ２，Ｒ２＝高域インピーダンス上昇要素
Ｃｍｅｓ＝スピーカ振動系の等価質量容量
Ｌｃｅｓ＝スピーカ振動系の等価コンプライアンスインダクタンス
Ｒｅｓ＝スピーカ振動系のメカニカル制動抵抗
である。
【００２８】
図６はスピーカエンクロージャーの等価回路であり、Ｌｖｅ＝等価容積インダクタンスである。
図７は、従来のドローンコーンやヒンジ固定フラップなどのパッシブラジエターの等価回路である。図示のように、スピーカからボイスコイルのファクターを無くした回路構成を持つ。質量Ｃｍｅｐは、エッジの持つコンプライアンスＬｃｅｐと制動抵抗Ｒｅｐで支えられている。
ここで、
Ｃｍｅｐ＝パッシブラジエターの等価質量容量
Ｌｃｅｐ＝パッシブラジエターの等価コンプライアンスインダクタンス
Ｒｅｐ＝パッシブラジエターのメカニカル制動抵抗
である。図８は従来のパッシブラジエターシステムの等価回路である。信号電圧がスピーカを駆動し、スピーカの音響出力がスピーカエンクロージャー容積を介してパッシブラジエターを駆動する。
【００２９】
システムとしての低域共振周波数は、ほぼＣｍｅｐとＬｖｅの共振周波数になる。少ない容積で共振周波数を下げるには、Ｃｍｅｐを大きくする必要があり、これはパッシブラジエターが重くなることを意味する。重いパッシブラジエターを支えるには、丈夫で強度のあるエッジが必要になる。一方、エッジには柔軟性が要求されるため、ゴムやウレタンなどの柔らかい材料が使われるが、強度を上げるには厚くする必要がある。しかし、エッジを厚くするということは、等価コンプライアンスＬｃｅｐを下げると同時に制動力も大きくするということになる（電気等価回路において表現すれば抵抗値Ｒｅｐが下がるということになる）。このため、パッシブラジエターのロスが大きくなり、低音の再生能力が下がってしまう。
【００３０】
図９は本願発明にかかる振動板の等価回路である。振動板は一辺が完全に固定されているため振動板自身がコンプライアンスＬｃｅｂを持ち自重を支えている。振動板は弾性体で作られているので、エッジ材料のような抵抗成分は無視できる。エッジは振動板の自重を支える必要がないため薄い材料で良く、コンプライアンスＬｃｅｘを非常に大きくすることができ、これにより必然的にロスも非常に小さくなる（電気等価回路において表現すれば制動抵抗Ｒｅｘが大きくなる）。
図９において、
Ｃｍｅｂ＝振動板の等価質量容量
Ｌｃｅｂ＝振動板の等価コンプライアンスインダクタンス
Ｌｃｅｘ＝振動板エッジの等価コンプライアンスインダクタンス
Ｒｅｘ＝振動板エッジのメカニカル制動抵抗
である。図１０は本件発明におけるスピーカシステムの等価回路である。図８と比較した場合、スピーカとスピーカエンクロージャー容積を同じとすると、
Ｃｍｅｐ＝Ｃｍｅｂ
とすれば、低域の共振周波数も同じになる。この重量を支えるコンプライアンスも同等のものが必要になるが、図８ではＬｃｅｐであり、図１０ではＬｃｅｘ＞＞Ｌｃｅｂであるから、ほとんどＬｃｅｂとなり、適切な設計をすればほぼ
Ｌｃｅｐ＝Ｌｃｅｂ
となる。ここまでのファクターに大きな差異はない。しかし、ここまでの説明で明らかなように、
Ｒｅｘ＞＞Ｒｅｐ
となることが、本願発明の重要な特徴であり、これにより従来方式に較べてロスが大幅に少なくなり、低音再生が有利になることが分かる。
【００３１】
また、本実施形態においては、上述したように、振動板５１の外縁付近に貼り付け部７０ａが位置するようにエッジ７０が設けられているので、スピーカエンクロージャー５０の内圧の変化がエッジ７０によって妨げられることなく振動板５１全体に直接伝わる。すなわち、振動板５１の有効振動面積を大きくすることができる。
【００３２】
また、エッジ７０は、振動板５１の下端部５１ｂにおける振幅Ａ１に対応した径を有しているので、振動板５１の振動を妨げないようにその変化分を吸収しつつ振動板５１を振動させることができる。
【００３３】
＜変形例＞
以上、本発明の実施形態について説明したが、本発明は上述した実施形態に限定されることなく、他の様々な形態で実施可能である。以下にその一例を示す。
（１）上述した実施形態においては、切欠部６０をスピーカエンクロージャー５０の内側からエッジ７０によって覆ったが、図１１に示すようにスピーカエンクロージャー５０の表面側から覆うようにしてもよい。なお、図１１は図２（ｂ）に対応する横断面図である。このようにエッジ貼り付け面を外側にすることで、振動板５１の有効振動面積を大きくすることができる。
また、切欠部に外側からエッジを取り付ける事により、例えば、切欠部に指などを入れて振動板を外側に引っ張ることができなくなり、スピーカエンクロージャーの破損等を防ぐことができる。
このように、エッジ（密閉部材）は、スピーカエンクロージャーの一面（例えば、バッフル面）の表面側に設けることも、裏面側（内部空間側）に設けることもできる。
【００３４】
（２）エッジの形状は、上述した実施形態で示した形状に限定されるものではなく、振動板の最大振幅に対応して振動板に余分な負荷を与えることなく振動板を振動させるものであればどのような形状であってもよい。例えば、図１２の（ａ）乃至（ｈ）に示す形状のエッジを用いるようにしてもよい。図１２の（ａ）は、上述した実施形態に係るエッジの断面形状の直線部分（アーチ形状の柱の部分）を長くした例であり、図１２の（ｂ）は曲線部分を長くした例である。また、図１２の（ｃ）はＳ字型のエッジを用いた例であり、（ｄ）はＭ字型のエッジを用いた例である。図１２（ｃ）のＳ字型のように、エッジは、スピーカエンクロージャーの一面の表面側や裏面側（内部空間側）に設けるだけでなく、前記切欠部をバッフル面（一面）の表面側から内部空間側に横切るようにして取り付けることもできる。なお、図１２の（ｄ）に示す例において、Ｍ字の山谷の高さずれを有する構造であってもよい。または、山谷が複数開繰り返される構造であってもよい。
図１２の（ｅ）は、各々エッジの断面形状がＶ字型、図１２の（ｆ）は、Ｗ型、図１２の（ｇ）はΩ型、図１２の（ｈ）はＯ型のエッジの一例を示したものである。
なお、図１２の（ａ）乃至（ｈ）に示した形状をベースにした複合構造のエッジを用いても勿論よい。
【００３５】
また、上述した実施形態においては、バッフル板５０ａと振動板５１の前後方向の位置は一致していたが、例えば、振動板５１の下部においては、内部空間側にオフセットするように構成することもできる。このように、振動板５１とその周囲のバッフル板５０ａとの前後方向の位置が異なる部分においては、例えば、図１３の（ａ）に示すような、内部空間側に突出する断面Ｕ字型のエッジを用いればよい。または、図１３の（ｂ）に示すような、内部空間側に突出する断面Ｊ字型のエッジを用いるようにしてもよい。これ以外にも、例えば、上述したようなＭ字型、Ｖ字型、あるいはＮ字型等、様々な形状のエッジを用いることが可能である。
【００３６】
図１２乃至図１３に示す例においても、振動板の最大振幅に対応するようにエッジ断面の直線形状の道のりの長さを設定することによって、上述した実施形態と同様に、振動板に余分な負荷を与えることなく振動板を振動させることができる。
さらに、振動板の外縁付近にエッジを設けているため、スピーカエンクロージャーの内圧の変化がエッジによって妨げられることなく振動板に直接伝わるため、振動板の有効振動面積を大きくとることができる。特に、図１３に示す例においては、取り付け面と振動板の位置関係が異なっていることにより、有効振動面積を大きくすることが可能である。
【００３７】
（３）上述した実施形態においては、切欠部６０を覆うエッジ７０のロールの径は一様であった。これに代えて、伸長時の長さが場所によって異なる形状のエッジを用いるようにしてもよい。具体的には、例えば、図１４に示すような、振動板５１の下端部５１ｂに近いほどロールの径が大きいエッジ９０を設けるようにしてもよい。なお、図１４の（ａ）は、この変形例であるスピーカエンクロージャーの側断面図であり、図１４の（ｂ）は図３に対応するバッフル板５０ａの背面を示す図である。また、図１４の（ｃ），（ｄ）はそれぞれ（ａ）のＡ−Ａ線、Ｂ−Ｂ線における横断面図である。
【００３８】
従来のスピーカユニット等で用いられるエッジの場合は、そのエッジにかかる力は部分毎の変位差がない。しかしながら、上述した実施形態に示したような、振動板の変位量に部分差があるスピーカシステムにおいては、振動板の振動はエッジに歪みが生じるような振動となり、また、その歪み部分からエッジが破損する可能性がある。更に、最大振幅に合わせたエッジ幅をもたせるため、振動板の有効振動面積が小さくなる場合がある。
【００３９】
一方、図１４に示す例においては、エッジのロールの径Ｒを下部にいくにつれて徐々に大きくすることで、振動板の支持端から遠い部分程振動板の振幅を大きくすることができる。これにより、最大振幅に対応して振動板側に余分な負荷を与えることなく動作させることができ、振動板の動作を滑らかにすることができる。また、余分な負荷や歪みが発生しない。
【００４０】
なお、図１４に示した例においては、振動板の下端部に近いほどロールの径が大きいエッジを用いるようにしたが、これに代えて、図１５に示すような、ロールの径Ｒは一定のまま、振動板の下端部に近いほどエッジのストレート部が長いエッジ１００を用いるようにしてもよい。
または、図１４の例と図１５の例を併用した、振動板の支持部からの距離が大きいほど、ロールの径Ｒとストレート部の長さが共に長くなるようなエッジを用いるようにしてもよい。以上の構成をまとめると、エッジ（密閉部材）は、その断面形状が線状であるとともに、その線の道のりが接続部からの距離に応じて変化するように構成すると好適である。
【００４１】
（４）なお、エッジは、その厚みが部分毎に異なるものであってもよい。具体的には、例えば図１６に示すような、より稼動すべき部位が薄く構成されたエッジ１１０を用いるようにしてもよい。このようにすることによって、振動板の振動動作をより滑らかにすることができる。
すなわち、エッジ（密閉部材）は、その断面形状に湾曲部を有し、前記湾曲部の厚みが他の部分より薄くなるように構成することができる。これは上述した全てのタイプのエッジについて適用できる構成である。
【００４２】
（５）上述した実施形態では、スピーカエンクロージャーのスピーカが設けられている面に切欠部を設けて振動板を形成するようにしたが、振動板を形成する（切欠部を設ける）位置はこれに限定されるものではなく、スピーカエンクロージャーの一面であればどのような位置であってもよい。
【００４３】
図１７は、振動板の形成位置の一例を示す図であり、図１７の（ａ）は、スピーカシステムの外観を示す斜視図である。図１７の（ｂ）は、同変形例を背面から見た斜視図であり、図１７の（ｃ）は、側断面図である。これらの図に示すように、この例においては、切欠部６０がバッフル板５０ａと対向する面、すなわちスピーカエンクロージャー５０の背面に設けられている。
【００４４】
（６）上述した実施形態のように細長い切欠部を作る場合は、Ｕ字状に限らない。Ｖ字形状でも、台形状でも、Ｏ字形状でもよい。要するに、スピーカエンクロージャーの一面において、線で囲まれる仮想平面図形を想定し、その輪郭の一部を接続部として、この接続部を残すようにして前記輪郭に沿って切り欠いた切欠部であればよく、切欠部によって囲まれた部分が記接続部付近を支点にして弾性により振動可能な振動板として機能すればよい。例えば、図１８の（ｂ）にスピーカシステムの外観を示すが、図示のようにバッフル板５０ａの下部全体を振動板５１として構成するように切欠部６０を形成してもよい。なお、同図（ａ）はこの場合の側断面図である。
【００４５】
（７）また、図１９に示すように、スピーカエンクロージャーとエッジを一体として形成するようにしてもよい。具体的には、例えば、合成樹脂等の部材により、エッジ部分を薄く、そして振動板およびスピーカエンクロージャーの壁面部分は厚く形成するようにする。一体形成の方法としては、例えば、スピーカの背面を抜いた状態で他の５面について一体形成し、その後に背面を接着するなどの方法がある。
【００４６】
（８）上述した実施形態は、エッジの断面形状が線状であって、その線の道のりを切欠部の断面幅より大きくすることにより、振動板の振動を自在にするように構成したが、エッジ自体が柔軟な伸縮性を有するものであれば、エッジの断面形状の線の道のりが切欠部の断面幅と同じであっても、振動板の振動を伸縮（弾性）によって吸収することもできる。
【図面の簡単な説明】
【００４７】
【図１】本発明の実施形態の外観を示す斜視図である。
【図２】同実施形態の内部構造を示す図である。
【図３】同実施形態のバッフル板５０ａの背面を示す図である。
【図４】同実施形態の周波数特性を示すグラフである。
【図５】スピーカの電気等価回路である。
【図６】スピーカエンクロージャーの電気等価回路である。
【図７】従来のパッシブラジエターの等価回路である。
【図８】従来のパッシブラジエターシステムの等価回路である。
【図９】本願発明にかかる振動板の等価回路である。
【図１０】本願発明にかかるスピーカシステムの等価回路である。
【図１１】本発明の変形例を示す図である。
【図１２】本発明の変形例に係るエッジの形状の一例を示す図である。
【図１３】本発明の変形例に係るエッジの形状の一例を示す図である。
【図１４】本発明の変形例を示す図である。
【図１５】本発明の変形例を示す図である。
【図１６】本発明の変形例に係るエッジの形状の一例を示す図である。
【図１７】本発明の変形例を示す図である。
【図１８】本発明の変形例を示す図である。
【図１９】本発明の変形例を示す図である。
【図２０】エッジの取り付け位置の一例を示す図である。
【符号の説明】
【００４８】
１…スピーカシステム、１０…スピーカ、５０，８０…スピーカエンクロージャー、５０ａ…バッフル板、５１…振動板、６０…切欠部、７０，９０，１００，１１０…エッジ。
【図１】
2007104526.tif 000003
【図２】
2007104526.tif 000004
【図３】
2007104526.tif 000005
【図４】
2007104526.tif 000006
【図５】
2007104526.tif 000007
【図６】
2007104526.tif 000008
【図７】
2007104526.tif 000009
【図８】
2007104526.tif 000010
【図９】
2007104526.tif 000011
【図１０】
2007104526.tif 000012
【図１１】
2007104526.tif 000013
【図１２】
2007104526.tif 000014
【図１３】
2007104526.tif 000015
【図１４】
2007104526.tif 000016
【図１５】
2007104526.tif 000017
【図１６】
2007104526.tif 000018
【図１７】
2007104526.tif 000019
【図１８】
2007104526.tif 000020
【図１９】
2007104526.tif 000021
【図２０】
2007104526.tif 000022